(57)【要約】【課題】発電に伴う運動エネルギーのロスが少なく、発電効率が非常に効率的であり、また、発電のための操作ストロークが短くて済むため、操作レバーの操作力を非常に軽くすることができる建物の開閉体用ロック装置を提供する。【解決手段】建物の開閉体用ロック装置を、自己発電可能で、かつ、送信機能を有して構成し、ロック装置のハウジング内には、該ハウジングに回転自在に軸支されてなる操作レバーと、該操作レバーの軸のハウジング内部に固定された主ギアと、該主ギアに噛合する従動ギアと、該従動ギアに固定された作動体と、上記ハウジングに一端部が固定され他端部に支持杆の中間部が連結されてなる固定杆と、上記支持杆の両端部に夫々固定された鋼球と、該鋼球の一方が揺動する範囲内に配設された圧電発電装置と、から構成し、上記鋼球を共振動させることにより圧電発電装置の圧電素子を連続的に殴打し発電するように構成した。【選択図】図１
2005127096.tif 000002
【特許請求の範囲】
【請求項１】
建物の窓や扉等の開閉体を開閉自在にロック自在なロック装置を、自己発電可能で、かつ、送信機能を備えたモジュールを有して構成し、該ロック装置のハウジング内には、該ハウジングに回転自在に軸支されてなる操作レバーと、該操作レバーの軸のハウジング内部に固定された主ギアと、該主ギアに噛合する従動ギアと、該従動ギアに固定された作動体と、上記ハウジングに一端部が固定され他端部に支持杆の中間部が連結されてなる固定杆と、上記支持杆の両端部に夫々固定された鋼球と、該鋼球の一方が揺動する範囲内に配設された圧電発電装置と、を有して構成されてなり、上記鋼球の他方は、上記操作レバーの回動に伴い正逆回転する従動ギアの作動体によって殴打されて振動し、この他方の鋼球の振動に伴い共振動を開始する上記一方の鋼球が圧電発電装置の圧電素子を連続的に殴打することで発電し、該発電された電力を利用して上記モジュールを作動させることで、当該ロック装置の施錠又は開錠状態の情報を通信することを特徴とする建物の開閉体用ロック装置。
【請求項２】
前記圧電発電装置には、上記圧電素子の歪変形により発電された電流を整流する整流回路と、が配設されていることを特徴とする請求項１に記載の建物の開閉体用ロック装置。
【発明の詳細な説明】
【技術分野】
【０００１】
この発明は、建物の窓や扉等の開閉体に取り付けられたクレセント錠等のロック装置に係り、特に、外部電源を用いることなく開閉体が不正に開けられたときに、該状態を通信により外部へと知らしめることが可能な建物の開閉体用ロック装置に関する。
【背景技術】
【０００２】
近年、窓ガラスを壊し、ロック装置を開けて空き巣に入るピッキングと呼ばれる犯罪が多発しており、これを防ぐため各種のセキュリティ装置が提案されている。
【０００３】
このような窓やドア等に取り付けられる従来のセキュリティ装置は、一般的には、窓やドア等のロック部等に後付けされる方式のものが殆どであるため、外側から容易に発見されやすく、また、ガラスを壊す等して、その作動を故意に停止させることも可能である。しかも、サッシの開閉を利用したタイプのものにあっては、通信性能を確保するために、サッシの一部に切り欠きを開設しなければならず、かかる作業が非常に煩雑であり、また、この切り欠きにより外部から発見し易い、という課題を有していた。
【０００４】
さらに、従来のこの種のセキュリティ装置では、作動用電源の配線も後付けする必要であり、また、一家屋全部の窓やドアにこの従来のセキュリティ装置を取り付ける場合には、設備コスト及び工事コストが非常に高くなる他、全てのセキュリティ装置に、常時、電源を供給しておかなければならないため、ランニングコストも嵩む、という問題を有していた。
【０００５】
またさらに、上記従来のセキュリティ装置にあっては、同種のものを数多く取り付けなければならないため、開閉箇所の特定を瞬時に判断することが難しく、また、単体で機能するため、他のセキュリティシステムと複合させることが困難である等、実用上、非常に多くの解決しなければならない問題を有していた。
【０００６】
このような問題を解決するため、近年では、特許文献１に示す建物の開閉体が提案されている。
【０００７】
この先の発明によれば、外部から発見することが非常に難しく、また、外部配線工事も不要な自己発電・自動送信機能付きのモジュールを内蔵したロック装置が一体的に取り付けられた窓や扉等の建物用の開閉体とすることで、従来の開閉体自体の構造を変更することなく、非常に高いセキュリティ性能を簡単に得ることができると共に、従来のような専門の電気配線工事も不要となるので工事費を大幅にカットすることができ、しかも、発信器毎にＩＤを設定できるため、受信側で発信箇所を瞬時に特定することができて、従来の集中セキュリティシステムとも容易にジョイント可能であり、さらには、外部電源を必要としないので、外部電源が遮断された場合でも機能させることができ、ランニングコストもほとんど掛からない建物の開閉体が提供される。
【０００８】
【特許文献１】特願２００２−２５３０４６号
【発明の開示】
【発明が解決しようとする課題】
【０００９】
この発明は、かかる現状に鑑み創案されたものであって、その目的とするところは、上記先の発明を技術的前提とし、発電に伴う運動エネルギーのロスが少なく、発電効率が非常に効率的であり、また、発電のための操作ストロークが短くて済むため、操作レバーの操作力を非常に軽くすることができる建物の開閉体用ロック装置を提供しようとするものである。
【課題を解決するための手段】
【００１０】
上記目的を達成するため、この発明に係る建物の開閉体用ロック装置は、請求項１に記載したように、建物の窓や扉等の開閉体を開閉自在にロック自在なロック装置を、自己発電可能で、かつ、送信機能を備えたモジュールを有して構成し、該ロック装置のハウジング内には、該ハウジングに回転自在に軸支されてなる操作レバーと、該操作レバーの軸のハウジング内部に固定された主ギアと、該主ギアに噛合する従動ギアと、該従動ギアに固定された作動体と、上記ハウジングに一端部が固定され他端部に支持杆の中間部が連結されてなる固定杆と、上記支持杆の両端部に夫々固定された鋼球と、該鋼球の一方が揺動する範囲内に配設された圧電発電装置と、を有して構成されてなり、上記鋼球の他方は、上記操作レバーの回動に伴い正逆回転する従動ギアの作動体によって殴打されて振動し、この他方の鋼球の振動に伴い共振動を開始する上記一方の鋼球が圧電発電装置の圧電素子を連続的に殴打することで発電し、該発電された電力を利用して上記モジュールを作動させることで、当該ロック装置の施錠又は開錠状態の情報を通信することを特徴とするものである。
【００１１】
また、請求項２に記載の発明にあっては、請求項１に記載の圧電発電装置に、上記圧電素子の歪変形により発電された電流を整流する整流回路を配設したことを特徴とする。
【発明の効果】
【００１２】
以上説明したように、この発明に係る建物の開閉体用ロック装置は、建物の窓や扉等の開閉体を開閉自在にロック自在なロック装置を、自己発電可能で、かつ、送信機能を備えたモジュールを有して構成し、ロック装置のハウジング内には、該ハウジングに回転自在に軸支されてなる操作レバーと、該操作レバーの軸のハウジング内部に固定された主ギアと、該主ギアに噛合する従動ギアと、該従動ギアに固定された作動体と、上記ハウジングに一端部が固定され他端部に支持杆の中間部が連結されてなる固定杆と、上記支持杆の両端部に夫々固定された鋼球と、該鋼球の一方が揺動する範囲内に配設された圧電発電装置と、を有して構成されてなり、上記鋼球の他方は、上記操作レバーの回動に伴い正逆回転する従動ギアの作動体によって殴打されて振動し、この他方の鋼球の振動に伴い共振動を開始する上記一方の鋼球が圧電発電装置の圧電素子を連続的に殴打することで発電し、該発電された電力を利用して上記モジュールを作動させることで、当該ロック装置の施錠又は開錠状態の情報を通信するように構成したので、発電に伴う運動エネルギーのロスが少なく、発電効率が非常に効率的であり、また、発電のための操作ストロークが短くて済むため、操作レバーの操作力を非常に軽くすることができる、という優れた効果を得ることができる。
【発明を実施するための最良の形態】
【００１３】
以下、添付図面に示す発明の実施例１に基づき、この発明を詳細に説明する。
【実施例１】
【００１４】
図１乃至図７は、この発明の実施例１を示しており、該実施例１では、この発明を建物の窓等の開口に装着されたアルミサッシ製の戸（図示せず）に取り付けられたクレセント錠１に適用した場合を示している。勿論、この発明の適用例は、本実施例１のクレセント錠に限定されるものではなく、開き戸の扉、引戸の戸片、雨戸、観音開きの扉や窓、天窓等に取り付け可能な各種ロック装置にも適用可能である。
【００１５】
本実施例１に係るクレセント錠１は、例えば、アルミサッシ製で中空部を有する略ロ字形窓枠に板ガラスが嵌め込まれて構成された２枚の引戸の窓枠重合部に取り付けられ、クレセント錠１でロック可能に構成されている。
【００１６】
このクレセント錠１の基本的な構成は、断面略コ字状に形成されたハウジング２と、操作レバー３と、この操作レバー３に連設され、かつ軸４を回転中心として回転自在に保持された略半円状の係止体５と、から構成されており、操作レバー３を把持して係止体５を回転操作することで、該係止体５を他方の引戸に取り付けられた係止体（図示せず）に係合させ、ロックするように構成されている。
【００１７】
また、この実施例１では、上記軸４の内方側先端部、即ち、ハウジング２の内部に主ギア６を回転自在に軸支すると共に、該主ギア６に噛合する従動ギア７をハウジング２の内部に回転自在に軸支し、さらに、該従動ギア７の軸には作動体８を固定して構成されている。
【００１８】
また、上記ハウジング２にはバネ材で形成された固定杆９の一端部が固定され、該固定杆９の他端部には、バネ材で形成された支持杆１０の中間部が固定され、該支持杆１０の両端部には、夫々鋼球１１Ａ，１１Ｂが固定されており、該鋼球１１Ｂが揺動する範囲内には圧電発電装置１２が配設されて構成されている。
【００１９】
このように構成されたクレセント錠１にあっては、上記操作レバー３を開錠方向（図３参照）或は施錠方向（図４参照）に回動すると、これに伴い主ギア６が回転し、該主ギア６の回動によって従動ギア７も回動するので、該従動ギア７に固定された作動体８は回転し、その先端部が鋼球１１Ａを殴打する。
【００２０】
そして、上記作動体８によって殴打されることで、上記鋼球１１Ａは振り子状に往復振動し、該鋼球１１Ａの振動に伴い鋼球１１Ｂは共振動を開始し、該鋼球１１Ｂの往復振動する度に圧電発電装置１２の圧電素子を連続的に殴打して発電する。
【００２１】
尚、図示はしないが、上記ハウジング２内には、自己発電可能で、かつ、送信機能を備えたモジュールが収納され、該モジュールは、上記圧電発電装置１２で発電された電力を利用して作動され、当該クレセント錠１の施錠又は開錠状態の情報を通信するように構成されている。
【００２２】
このモジュールは、図６に示すように、発電部１５と送信回路部１６と、から構成されている。
【００２３】
モジュールの発電部１５は、圧電素子発電部２１と整流回路２２と、から構成されており、また、送信回路部１６は、制御部２３と発信部２４とアンテナ２５と、から構成されている。
【００２４】
上記圧電発電部２１は、図５に示す圧電素子１２ａ，１２ｂとクッション材１９と、から構成されている。尚、上記圧電素子１２ａ，１２ｂは、この実施例１では、ＰＺＴ系の２枚の板形の圧電セラミックス板を分極が互いに逆になるように接合して、直列に接続された発電構成として分極による打消しが防止されて発電性能が高められるように構成されている。
【００２５】
圧電セラミックス板は、チタンジルコン酸亜鉛系の素材が用いられ、また、クッション材１９としては、合成樹脂材、ゴム材或はこれらをスポンジ状に形成した軟質材料を用いることができ、具体的には、発泡ポリエチレンが好適である。さらに、この実施例１では、鋼球１１Ａ，１１Ｂを、圧電素子を破壊しない程度に重量が重く発電効率が良好なタングステンや鉄などを用いることができ、また、圧電素子の鋼球衝突面部をプロテクタでコーティングしてもよく、この場合には、加工性に優れたリン青銅やステンレス等の硬い金属或は合成樹脂などを用いることができる。
【００２６】
さらに、この圧電素子１２ａ，１２ｂは、上記クッション材１９の中央部分又は両端部に接着剤で部分的に接着されている。勿論、接着剤以外の固定手段で固着してもよい。
【００２７】
整流回路２２は、圧電素子発電部２１で出力された交流電力を整流して脈流にする回路であり、所要数のダイオードで全波整流の回路が形成される。
【００２８】
制御部２３は、クレセント錠１がロック状態かアンロック状態かを判定し、ロック状態が解除されたときに、該情報を図７に示す受信器３１へと送信するように制御する回路である。
【００２９】
また、発信部２４は、特に図示はしないが、通信制御手段と信号スイッチ手段と信号発生手段とを有して構成されている。この内、通信制御手段は通信に必要な動作を行う手段であり、電力が前記の方法で供給されることで動作を開始して信号スイッチ手段をＯＮ作動させると共に、発信のためのデータを信号発生手段へと送る。
【００３０】
この発信のためのデータとしては、少なくとも、当該クレセント錠１が設置されたサッシまたはクレセント錠１に関するＩＤデータが含まれる。
【００３１】
また、上記信号発生手段は、上記通信制御手段から受け取った発信のためのデータを所定の無線信号に変換してアンテナ２５から発信する。勿論、この実施例１において、圧電発電装置１２がバッテリーを備えて構成されている場合には、上記通信制御手段が発信のために必要なデータを全て信号発生手段へと送り終えた後、該通信制御手段が作動して、放電を停止させるように制御するのが望ましい。
【００３２】
このように構成されてなる発電部１５は、発電された電流を整流回路２２で整流して発信回路部１６を作動させ、該発信回路部１６は、特定の周波数からなる電波（不正侵入告知信号）を、例えば集中セキュリティ管理装置の受信機３１へと送信する。
【００３３】
尚、この実施例１では、圧電素子が応力を受け発電すると略同時に受信器３１が作動して信号を発信するように構成されているが、この発明にあってはこれに限定されるものではなく、より安定した電波信号を送信する場合には、日常的なクレセント錠１の開閉作動により得られる振動により発電された電流を一定電圧までバッテリーに蓄電し、余剰の電流は放電するように構成してもよい。
【００３４】
この場合には、特に図示はしないが、前記整流回路２２で得られた脈流を直流として充電するコンデンサからなる充電手段と、この充電手段の充電量を圧電素子の発電のタイミングに応じて間歇的に監視し判定する手段と、この判定手段により充電手段の充電量が発信可能なレベルに達すると充電手段の放電を開始させ、発信部２４へと電力を供給する自己保持型電流スイッチ等で構成される放電スイッチを付設して構成するのが望ましい。
【００３５】
また、この実施例１における上記受信器３１は、クレセント錠１が取り付けられた引戸から離間した場所や気付き易い任意の場所に設置されている。具体的には、一戸建ての家屋の場合には、居間や台所、就寝室等に設置し、ビル等の建物の場合には管理室、或は、契約警備会社若しくは協力が得られるならば警察等に設置することができる。
【００３６】
また、この受信器３１は、１台で複数のクレセント錠１からの信号を受信できるように構成されており、アンテナ３２と、受信部３３と、制御部３４と出力部３５及び電源３６と、から構成されている。
【００３７】
受信部３３では、各クレセント錠１からの信号を受信し、該信号を制御部３４へと送り、該制御部３４では、受信部３３で受信した信号がいずれのクレセント錠１からの信号であるかを各クレセント錠１に付与されたＩＤ情報に基づきこれを判別回路（図示せず）で自動的に判別し、出力部３５へと当該判別情報を送る。
【００３８】
出力部３５は、制御部３４からの判別信号に基づき、例えば、家屋等に設置した受信器３１を備えた警報装置や、ネットワークを介して契約警備会社、警察等の他、居住者のパソコンや携帯電話、緊急連絡先等へと自動的に侵入情報を送信するように構成されている。勿論、屋内に設置する場合には、当該受信器３１にＬＥＤ等を配置し、このＬＥＤの点滅によって侵入箇所を迅速に視認することができるように構成するのが望ましい。さらに、この出力部３５は、家人の出入りの際や日常的な窓（クレセント錠１）の開閉の際にも、侵入信号を発信するため、わずらわしい場合もあることから、メインスイッチやリモートコントローラまたは携帯電話等でその作動の要否をＯＮ・ＯＦＦ制御できるように構成するのが望ましい。
【００３９】
尚、上記各実施例では、クレセント錠１を引戸に配設した場合を例にとり説明したが、この発明にあってはこれに限定されるものではなく、例えば、窓がヒンジ開閉方式のものに適用されるクレセント錠を含む各種錠にも適宜設計変更して適用することができる。
【図面の簡単な説明】
【００４０】
【図１】この発明の実施例１に係る建物の開閉体であるクレセント錠の構成を示す背面図である。
【図２】同クレセント錠の正面側斜視図である。
【図３】同クレセント錠の開錠状態を示す説明図である。
【図４】同クレセント錠の施錠途中状態を示す説明図である。
【図５】同モジュールの回路構成を示すブロック図である。
【図６】同モジュールの圧電発電部の構成例を示す断面図である。
【図７】本実施例１に用いられる受信器の構成例を示すブロック図である。
【符号の説明】
【００４１】
Ｗ  窓
１  クレセント錠
２  ハウジング
３  操作レバー部
４  軸
６  主ギア
７  従動ギア
８  作動体
９  固定杆
１０  支持杆
１１Ａ，１１Ｂ  鋼球
１２  圧電発電装置
１２ａ，１２ｂ  圧電素子
１５  発電部
１６  送信回路部
２１  圧電素子発電部
２２  整流回路
２３  制御部
２４  発信部
２５  アンテナ
【図１】
2005127096.tif 000003
【図２】
2005127096.tif 000004
【図３】
2005127096.tif 000005
【図４】
2005127096.tif 000006
【図５】
2005127096.tif 000007
【図６】
2005127096.tif 000008
【図７】
2005127096.tif 000009